(57)【要約】【課題】  侵入しようとしている者に対し、建物の窓等に防犯対策がなされていることを強く知らしめて、犯行を思いとどまらせることで、建物内への侵入を未然に防ぐ家庭用防犯アラームを提供することを目的とする。【解決手段】  建物のガラスＧの室内面Ｇ1 に貼り付けられて用いられるケーシング10を有する。そして、室内19の明暗を検知するセンサ17をケーシング10に内蔵した。かつ、センサ17によって室内19が暗くなったことを検出すると点滅開始するＬＥＤランプ12が、ケーシング10に内蔵されて、屋外18から見えるように構成された。また、防犯警告用の文字14ａが表示された警告部14を、ケーシング10の屋外向面10ａ側に、備えた。そして、警告部14の文字14ａが、ＬＥＤランプ12の点滅により屋外18から読み取られるように構成されている。【選択図】  図８
2005339162.tif 000002
【特許請求の範囲】
【請求項１】
建物のガラス（Ｇ）の室内面（Ｇ1 ）に貼り付けられて用いられるケーシング（10）を有する家庭用防犯アラームに於て、
室内（19）の明暗を検知するセンサ（17）を上記ケーシング（10）に内蔵し、かつ、該センサ（17）によって室内（19）が暗くなったことを検出すると点滅開始するＬＥＤランプ（12）が、上記ケーシング（10）に内蔵されて、屋外（18）から見えるように構成されたことを特徴とする家庭用防犯アラーム。
【請求項２】
防犯警告用の文字（14ａ）が表示された警告部（14）を、上記ケーシング（10）の屋外向面（10ａ）側に、備え、該警告部（14）の文字（14ａ）が、上記ＬＥＤランプ（12）の点滅により屋外（18）から読み取られるように構成された請求項１記載の家庭用防犯アラーム。
【発明の詳細な説明】
【技術分野】
【０００１】
本発明は、家庭用防犯アラームに関するものである。
【背景技術】
【０００２】
従来の防犯アラームとして、窓，引戸，ショーケース等の外枠の一部に接着され、侵入者が、窓等を開けた場合、あるいは、施錠するために窓等を破壊した場合、外枠に生じる振動を検出し、その検出により、警報ブザーを鳴動させて、侵入を阻止するものが知られている（例えば、特許文献１参照）。
【特許文献１】特開平８−１６７０８２号公報
【発明の開示】
【発明が解決しようとする課題】
【０００３】
この従来の防犯アラームは、実際に侵入者が、窓等を開けたり、破壊する等の行動を起こした後で機能するものであるが、屋外側からは、防犯対策が窓等になされていることが認識できないので、犯行を実行され易い。しかも、建物内が無人であると、防犯ブザーが鳴動しても、侵入されて、盗難等の被害が生ずる可能性が高い。
【０００４】
そこで、本発明は、侵入しようとしている者に対し、建物の窓等に防犯対策がなされていることを強く知らしめて、犯行を思いとどまらせることで、建物内への侵入を未然に防ぐ家庭用防犯アラームを提供することを目的とする。
【課題を解決するための手段】
【０００５】
上記の目的を達成するために、本発明に係る家庭用防犯アラームは、建物のガラスの室内面に貼り付けられて用いられるケーシングを有する家庭用防犯アラームであり、室内の明暗を検知するセンサを上記ケーシングに内蔵し、かつ、該センサによって室内が暗くなったことを検出すると点滅開始するＬＥＤランプが、上記ケーシングに内蔵されて、屋外から見えるように構成されている。
【０００６】
また、防犯警告用の文字が表示された警告部を、上記ケーシングの屋外向面側に、備え、該警告部の文字が、上記ＬＥＤランプの点滅により屋外から読み取られるように構成されている。
【発明の効果】
【０００７】
本発明は、次のような著大な効果を奏する。
暗くなると、防犯アラームの屋外向面が点灯するので、建物のガラス障子（戸）や、玄関・トイレのドア等のガラスに、防犯対策がなされていることを、屋外から侵入をしようとする者に強く認識させることができ、建物内への侵入を思いとどまらせるように促すことができる。よって、建物内への侵入の犯行を、未然に防止できる。
【０００８】
さらに、この点灯により、防犯警告用の文字が表示された警告部を、屋外から読み取ることができるので、侵入をしようとする者に、防犯対策がなされていることを、強く印象付けることができ、建物内への侵入を思いとどまらせるように促すことができる。
【発明を実施するための最良の形態】
【０００９】
以下、実施の形態を示す図面に基づき、本発明を詳説する。
図１，図２，図３，図４及び図５に示すように、本発明に係る家庭用防犯アラーム１は、建物のガラスＧの室内面Ｇ1 に貼り付けられて用いられるケーシング10を有する。この実施例では、ケーシング10は、プラスチック等から成る略矩形薄板形状である。
ケーシング10は、室内19の明暗を検出するセンサ17が内蔵されている。このセンサ17は、ＣＤＳセンサから成るのが好ましく（図５参照）、ケーシング10の室内面10ｂに形成された小開口24を介して、室内19の明暗を検出する。
さらに、ケーシング10は、ＬＥＤランプ12が内蔵されており、センサ17によって室内19が暗くなったことが検出されると点滅開始するように、構成されている（図５参照）。このＬＥＤランプ12は、ケーシング10の屋外向面10ａに形成された小開口23を通して、屋外18側から見られる。そして、明るさが約30ルクス以下になったことをセンサ17が検出すると、電気抵抗が減少しＬＥＤランプ12が点滅開始するように構成されるのが好ましい。
また、ケーシング10は、その側面に、スイッチ９が、設けられ、センサ17，ＬＥＤランプ12，（後述の）警報ブザー15及び振動検出センサ20の作動状態を、ＯＮ−ＯＦＦ切替する（図５参照）。
【００１０】
また、ケーシング10は、動作確認ランプ21が内蔵され、ケーシング10の室内面10ｂに形成された小開口から、確認できる。この動作確認ランプ21は、例えばＬＥＤであり、スイッチ９をＯＮにすると、数秒間（約４秒間）点滅するよう構成され、これにより、アラーム１が正常な作動状態となったことを確認できる（図５参照）。
さらに、ケーシング10は、警報ブザー15と、振動検出センサ20が、内蔵されていて、振動検出センサ20の圧電素子がケーシング10の振動を検出すると、警報ブザー15がブザー音を発する（図５参照）。ケーシング10は、その室内面10ｂに、室内19にブザー音を流すスピーカ部25が、設けられる。
【００１１】
次に、図６，図７，図８及び図９に示すアラーム１について説明する。
ケーシング10は、その室内面10ｂに、キャラクター等の形状を有するプラスチック等から成り、屋外向面10ａに、（後述する）ガラスＧへの貼付面を、有する。
ケーシング10に、ＣＤＳセンサ等のセンサ17，ＬＥＤランプ12，警報ブザー15，振動検出センサ20が、内蔵され、それらは、図１〜図５で既述したものと同様の構成である。
具体的には、ケーシング10の室内面10ｂが、いわゆる「犬のお巡りさん」を模して形成され、「目」の部分に、警報ブザー15から発せられるブザー音を流すための小開口16が、形成される。
また、センサ17は、「帽子」の中間部に形成された小開口24を通して、室内19の明暗を検出する。この小開口24は、センサ17を保護するための透明プラスチック材が、嵌め込まれる。
また、ケーシング10の側面（「耳」の部分）に、ＯＮ−ＯＦＦ切替するためのスイッチ９が、設けられる。
【００１２】
また、ケーシング10は、防犯警告用の文字14ａが表示された警告部14を、その屋外向面10ａ側に、備える。
具体的には、ケーシング10は、屋外向面10ａに形成された開口部（実施例では、ケーシング10のキャラクターと同じ形状の開口部）に、透明なプラスチック板から成る警告部14が、取り付けられており、この警告部14に、防犯警告用の文字14ａ───例えば「警戒中」───が表示されている。この警告部14の内部側に、ＬＥＤランプ12が配設されており、ＬＥＤランプ12の点滅により、警告部14が照らされ、暗くなっても、文字14ａを、屋外18から読み取ることができるように構成されている。
【００１３】
次に、アラームの取付方法と使用方法について説明する。
先ず、図１〜図４に於て、防犯アラーム１を、微小凹凸Ａを有する型板ガラスＧ───例えば、片面に型模様をつけた板ガラスや、すり板ガラス等をいう───へ取付けることについて、説明する。
施錠部Ｋ近傍に防犯アラーム１を取り付けることにより、不法侵入しようとする者が施錠部Ｋ近傍に孔を開けようとした場合に、確実に警報音（警報ブザー）を鳴動させることができる。
アラームの取付方法は、具体的には、微小凹凸Ａを有する型板ガラスＧの（凹凸状）室内面Ｇ1 に、粘着層２とフィルム層３を積層させたシート体４を、粘着する。フィルム層３は、ポリエチレン又はポリプロピレンから成る。このとき、粘着層２が、型板ガラスＧの微小凹凸Ａに応じて変形し、フィルム層３の表て面５は、ほぼ凹凸のないスムースな面となる。
その後、シート体４のフィルム層３の表て面５に、アラームを、両面粘着シート７を介して押し付ける。この両面粘着シート７は、シート体４に貼着される面に、防犯警告用の文字14ａ───例えば「警戒中」───が表示されている。かつ、両面粘着シート７は、ケーシング10の小開口23に対応する位置に、開口され、ＬＥＤランプ12を、屋外18から見ることができる。
【００１４】
ここで、シート体４，両面粘着シート７，ケーシング10を全て貼り合わせた合計厚さ寸法を、７mm乃至10mmに設定する。厚さ寸法が10mm超過の場合、アラームを引違いガラス障子（戸）Ｗの外側の型板ガラスＧに取付たときに、アラームのケーシング10が、内側の型板ガラスＧの周囲枠Ｗ1 に干渉して、引違いガラス障子（戸）Ｗを開閉することができなくなる虞れがある。一方、７mmより小さい場合、アラームの製造が至難となる。
シート体４全体が透明であり、両面粘着シート７の防犯警告用の文字14ａ、及びＬＥＤランプ12を、屋外18から見ることができる。
【００１５】
なお、設計変更してもよく、シート体４が不透明であって、粘着面に防犯警告用の文字14ａ───例えば「警戒中」───や警告用の絵を有するもよい。この場合、アラームを型板ガラスＧに取付た状態で、その文字14ａ等を屋外18に居る不法侵入をしようとする者に、見せることができる。シート体４は、ＬＥＤランプ12に対応する位置に、孔が切欠かれており、屋外18から、ＬＥＤランプ12を確認できる。
【００１６】
使用方法について説明すると、例えば外出時に、スイッチ９をＯＮとして作動状態にする。日中は、屋外18から不法侵入をしようとする者に対し、防犯警告用の文字14ａを、見せる（認識させる）ことにより、ガラス障子Ｗに防犯対策がなされていることを認識させる。よって、犯行を未然に防ぐことができる。
また、次第に周囲が暗くなってきて、室内の明るさが30ルクス以下になったことをセンサ17が検出すると、ＬＥＤランプ12が点滅を開始する。この点滅により、室内19が無人でも、屋外18から不法侵入をしようとする者が、ガラス障子Ｗに防犯対策がなされていると認識する。よって、犯行を未然に防ぐことができる。
【００１７】
次に、図６〜図８に示す防犯アラーム１の取付・使用方法について説明する。
実施例では、ケーシング10を、その屋外向面10ａにて、両面粘着シート７を介して、平滑面を有するガラスＧに貼り付ける。この両面粘着シート７は、警告部14と同形状に切欠かれた開口13を、有する。よって、屋外18から侵入をしようとする者は、警告部14の防犯警告用の文字14ａを、見ることにより、ガラス障子Ｗに防犯対策がなされていることを認識する。
また、次第に周囲が暗くなってきて、室内の明るさが30ルクス以下になったことをセンサ17が検出すると、ＬＥＤランプ12が点滅を開始し、この点滅により、警告部14の防犯警告用の文字14ａを目立たせられ、屋外18から認識し易くなる。
このアラーム１は、図１〜図４に示すものよりもケーシング10の厚さ寸法が大きいので、引違いガラス障子Ｗに取り付けられる場合は、開閉に支障をきたさないように、内側のガラスＧに取付られる。
アラーム１が作動状態にあるときに、ガラスＧを備えたガラス障子Ｗが開けられたり、ガラスＧが破壊されて、振動検出センサ20がケーシング10の振動を検出すると、警報ブザー15が鳴動するよう構成される（図９参照）。
【００１８】
なお、図示省略するが、図１〜図４で既述したものと同様に、シート体４を介して、型板ガラスＧに取付けてもよい。この場合、シート体４を透明にするか、あるいは、シート体４が不透明であれば、警告部14と同形状に切欠いて、開口すればよい。
【００１９】
以上のように、本発明に係る家庭用防犯アラームは、建物のガラスＧの室内面Ｇ1 に貼り付けられて用いられるケーシング10を有し、室内19の明暗を検知するセンサ17をケーシング10に内蔵し、かつ、センサ17によって室内19が暗くなったことを検出すると点滅開始するＬＥＤランプ12が、ケーシング10に内蔵されて、屋外18から見えるように構成されているので、周囲が暗くなってきても、建物のガラス障子（戸）や、玄関・トイレのドア等のガラスＧに、防犯対策がなされていることを、屋外18から侵入をしようとする者に強く認識させることができ、建物内への侵入を思いとどまらせるように促すことができる。よって、建物内への侵入の犯行を、未然に防止できる。
【００２０】
また、防犯警告用の文字14ａが表示された警告部14を、ケーシング10の屋外向面10ａ側に、備え、警告部14の文字14ａが、ＬＥＤランプ12の点滅により屋外18から読み取られるように構成されているので、周囲が暗くなってきても、侵入をしようとする者に、この点滅により、警告部14の防犯警告用の文字14ａに、一層注目させることができる。よって、ガラスＧに、防犯対策がなされていることを、強く印象付けることができるので、建物内への侵入を思いとどまらせるように促すことができる。
【００２１】
さらに、ガラスＧを切欠いて施錠部Ｋを開けて侵入を試みようとしても、ガラスＧの振動を振動検出センサ20が検出し、警報ブザー15が鳴動するので、侵入者を追い返すこともできる。このように、建物内への侵入を、確実に防ぐことができる。
【００２２】
なお、型板ガラスＧの室内面Ｇ1 に対して、上述したシート体４を、粘着し、その後、シート体４のフィルム層３の表て面５に、アラーム１を、両面粘着シート７を介して押付けるので、粘着力が強くなり（すなわち、各部材の接触面積が広くなり）、アラーム１を確実・強固に型板ガラスＧに取付けることができる。また、粘着力が強くなるので、不意に脱落することがなくなる。
また、図６〜図８に示すような防犯アラーム１を取り付けることで、室内19に居る者にとっては、インテリアの一部になる。
【図面の簡単な説明】
【００２３】
【図１】本発明に係る家庭用防犯アラームの実施の一形態を示す斜視図である。
【図２】背面図である。
【図３】アラームの取付方法を示す要部拡大一部断面側面図である。
【図４】説明用断面平面図である。
【図５】電気回路を示す説明用回路図である。
【図６】本発明に係る家庭用防犯アラームの他の実施の形態を示す正面図である。
【図７】背面図である。
【図８】側面図である。
【図９】電気回路を示す説明用回路図である。
【符号の説明】
【００２４】
10  ケーシング
10ａ  屋外向面
12  ＬＥＤランプ
14  警告部
14ａ  文字
17  センサ
18  屋外
19  室内
Ｇ  ガラス
Ｇ1 室内面
【図１】
2005339162.tif 000003
【図２】
2005339162.tif 000004
【図３】
2005339162.tif 000005
【図４】
2005339162.tif 000006
【図５】
2005339162.tif 000007
【図６】
2005339162.tif 000008
【図７】
2005339162.tif 000009
【図８】
2005339162.tif 000010
【図９】
2005339162.tif 000011